(57)【特許請求の範囲】
【請求項１】
特定の状態を検出する検出手段と、
各種データをバックアップ用に記憶する保持手段と、
前記検出手段が特定の状態を検出した場合、前記データを前記保持手段に転送して記憶させる制御手段と、
前記制御手段が携帯電話内のデータを前記保持手段に全て転送した場合、携帯電話の電源をオフにするか否かを、ユーザの入力により選択する電源制御選択手段と、
を備えることを特徴とする携帯電話。
【請求項２】
前記検出手段は、複数の特定の状態をそれぞれ検出するよう複数設けられ、
前記複数の検出手段のいずれかが特定の状態を検出した場合、前記制御手段が携帯電話内のデータを前記保持手段に転送する、
ことを特徴とする請求項１に記載の携帯電話。
【請求項３】
さらに、ユーザが前記保持手段にバックアップするデータの属性を予め設定するデータ属性記憶手段と、
前記データ属性記憶手段に記憶されているデータ属性に従い、前記制御手段に転送するデータを選択する選択手段と、
を備えることを特徴とする請求項１に記載の携帯電話。
【請求項４】
さらに、ユーザによる手動でバックアップを行う手動バックアップ手段、
を備えることを特徴とする請求項１乃至請求項３のいずれかにに記載の携帯電話。
【請求項５】
前記保持手段は、携帯電話から取り外し可能である、
ことを特徴とする請求項１乃至請求項４のいずれかに記載の携帯電話。
【請求項６】
前記保持手段は、メモリーカードである、
ことを特徴とする請求項１乃至請求項５のいずれかに記載の携帯電話。
【請求項７】
前記保持手段は、加入者権情報カードである、
ことを特徴とする請求項１乃至請求項６のいずれかに記載の携帯電話。
【請求項８】
前記検出手段は、加速度センサである、
ことを特徴とする請求項１乃至請求項７のいずれかに記載の携帯電話。
【請求項９】
前記検出手段は、水濡れセンサである、
ことを特徴とする請求項１乃至請求項８のいずれかに記載の携帯電話。
【発明の詳細な説明】
【技術分野】
【０００１】
本発明は、携帯電話に係り、特に、携帯電話のデータをバックアップすることができる、バックアップ機能を有する携帯電話に関するものである。
【背景技術】
【０００２】
近年の携帯電話の高機能化に伴い、携帯電話には、電話帳、メールアドレスのみならず、送受信されたメール、画像、動画などの様々なデータが保存されるようになった。一方、携帯電話の可搬性の高さから、携帯電話を誤って落下させたり、水没させたりする事故を起こす可能性があり、携帯電話内のデータが壊れてしまう可能性が生じる。このような場合、携帯電話内のデータが壊れてしまうと、データを復旧することは困難であるという問題があった。
【０００３】
このような問題を解決する従来の技術として、特開２０００-３１２１７８号公報がある。これは、携帯電話の充電器内に携帯電話のデータをバックアップする為のメモリを具備しており、携帯電話の充電動作中に充電器内に設けられたバックアップ開始スイッチをユーザが操作することによって、充電器内に設けられた複数のメモリへ選択的にバックアップを行うというものである（例えば、特許文献１参照）。
【特許文献１】特開２０００-３１２１７８号公報
【発明の開示】
【発明が解決しようとする課題】
【０００４】
しかしながら、前記文献に記載の従来技術では、バックアップする機会は充電時に限られてしまうため、落下や水没等の予測できない事故で携帯電話内に保存してあったデータが壊れてしまった場合は、最後にバックアップした時のデータしかバックアップされず、最新の状態が保てないという問題があった。さらに、ユーザの操作によりバックアップを行わなければならず、バックアップのし忘れにより最新の状態が保てないばかりか、操作がわずらわしいという問題があった。
【課題を解決するための手段】
【０００５】
本発明の携帯電話は、特定の状態を検出する検出手段と、各種データをバックアップ用に記憶する保持手段と、前記検出手段が特定の状態を検出した場合、前記データを前記保持手段に転送して記憶させる制御手段と、を備える構成を採る。
【０００６】
この構成により、携帯電話内のデータが壊れるような予測できない事故の際も、前記検出手段でその特定の状態を検出することで、ユーザの操作が無く自動的に、さらに最新の状態を前記保持手段にバックアップすることができる。
【０００７】
また、本発明の携帯電話では、前記構成において、前記制御手段は、携帯電話内のデータを前記保持手段に全て転送した場合、携帯電話の電源をオフにする、構成を採る。
【０００８】
この構成により、バックアップ終了後に携帯電話の電源供給をオフすることができ、自動的に最新の状態をバックアップすると共に、携帯電話内部の破損や水濡れなどに起因する回路ショートによる故障を防ぐことができる。
【０００９】
また、本発明の携帯電話は、前記構成において、前記検出手段は、複数の特定の状態をそれぞれ検出するよう複数設けられ、前記複数の検出手段のいずれかが特定の状態を検出した場合、前記制御手段が携帯電話内のデータを前記保持手段に転送する、構成を採る。
【００１０】
この構成により、携帯電話内のデータが破壊されるような状態が複数存在しても、前記複数の検出手段により複数の状態検出が可能であるので対応することができ、最新の状態をバックアップすることができる。
【００１１】
また、本発明の携帯電話は、前記構成において、さらに、前記制御手段が携帯電話内のデータを前記保持手段に全て転送した場合、携帯電話の電源をオフにするか否かを、ユーザの入力により選択する電源制御選択手段を備える、構成を採る。
【００１２】
この構成により、ユーザの意思で、データが破壊されるような状態を前記検出手段により検出した場合に電源をオフにするか否か決定することができ、ユーザの意に即した電源制御が可能になる。
【００１３】
また、本発明の携帯電話は、前記構成において、さらに、ユーザが前記保持手段にバックアップするデータの属性を予め設定するデータ属性記憶手段と、前記データ属性記憶手段に記憶されているデータ属性に従い、前記制御手段に転送するデータを選択する選択手段と、を有する構成を採る。ここで、データの属性とは、電話帳内の電話番号、画像データといった、同じ種類のデータの集合を指す。
【００１４】
この構成により、ユーザが自由にバックアップするデータの属性を選択することができ、ユーザが大事だと思う情報のみを保護する、といったユーザの意思に合ったバックアップが可能である。
【００１５】
また、本発明の携帯電話は、前記構成において、さらに、ユーザによる手動でバックアップを行う手動バックアップ手段、を有する構成を採る。
【００１６】
この構成により、ユーザの意思でもバックアップが可能になり、前記検出手段が検出できないような状態で、携帯電話内のデータが壊れてしまっても、ユーザ意思でバックアップした時点でのデータ復旧が可能になる。
【００１７】
また、本発明の携帯電話は、前記構成において、前記保持手段は、携帯電話から取り外し可能である、構成を採る。
【００１８】
この構成により、携帯電話本体が故障した場合でも、バックアップされた保持手段を取り外し、他の装置、例えば、他の携帯電話やパソコンに保持手段の内容を読み取らせることでデータ復旧が可能になる。
【００１９】
また、本発明の携帯電話は、前記構成において、前記保持手段は、メモリーカードである、構成を採る。
【００２０】
この構成により、バックアップデータを復旧する際に、現在販売されているメモリーカードスロット付きの装置であれば、どの装置であっても容易に読み取ることが可能になり、特別な機器を必要することなしに、バックアップデータを復旧することができる。
【００２１】
また、本発明の携帯電話は、前記構成において、前記保持手段は、加入者権情報カードである、構成を採る。
【００２２】
この構成により、バックアップ用の保持手段は、一般的な携帯電話に必要な加入者権情報カード(ＳＩＭカード、ＵＩＭカードを含む)であるので、バックアップ用保持手段の特別な物理領域を必要としないので、携帯電話の小型化、軽量化に貢献できる。さらに、新しい携帯電話に買い換えた際も、加入者権情報カードの移動のみで、容易にバックアップデータを復旧することが可能になる。
【００２３】
また、本発明の携帯電話は、前記構成において、前記検出手段は、加速度センサである、構成を採る。
【００２４】
この構成により、携帯電話の落下を検出することでき、落下して地面に落ちる前に携帯電話内のデータをバックアップすることが可能で、落下の衝撃で携帯電話が壊れたとしても、最新のデータをバックアップすることができる。
【００２５】
また、本発明の携帯電話は、前記構成において、前記検出手段は、水濡れセンサである、構成を採る。
【００２６】
この構成により、携帯電話の水没や水濡れを検出することができ、携帯電話内部に完全に水が浸入する前に、最新のデータを保護することができる。さらにバックアップ後に電源供給をオフにできるので、水濡れによる前記携帯電話内部の回路ショートによる破壊を防ぐことが可能である。
【発明の効果】
【００２７】
以上のように、本発明の携帯電話は、前記構成において、携帯電話内のデータが壊れるような特別な状態が発生した場合でも、ユーザの操作が無く自動的に、その状態を検出して、最新のデータをバックアップすることができる。
【発明を実施するための最良の形態】
【００２８】
以下、本発明の実施の形態について、図面を用いて説明する。
【００２９】
実施の形態１．
図１に、本発明の実施の形態１に係る携帯電話のブロック図を示す。
【００３０】
携帯電話１は本体部２とバックアップ部３からなる。ここで、本体部２には一般的な携帯電話が備えている機能、例えば無線通信機能、表示機能、ユーザ入力機能、カメラ機能等は備えており、図１では、ユーザデータ記憶手段４と、電源１１のみを示している。ユーザデータ記憶手段４は、携帯電話１内のユーザデータを記憶する記憶手段で、電話帳やメールアドレス、送受信したメールやカメラで取った画像データ,動画データといったユーザデータが記憶される。電源１１は電力線１２によって、本体部２とバックアップ部３に電源を供給するものである。
【００３１】
バックアップ部３は、検出手段５と、制御手段６と、保持手段７を有している。検出手段５は検出信号線９により制御手段６と接続されており、制御手段６はユーザデータ記憶手段４と信号線８で接続され、また保持手段７と信号線１０で接続されている。なお、検出手段５は加速度センサ、水濡れセンサ、圧力センサ、異常電流検知器でもよく、さらに、携帯電話１の外部、あるいは内部どちらに存在してもよい。保持手段７は、データをユーザデータをバックアップ用に記憶するもので、フラッシュメモリなどの不揮発メモリで構成されてもよい。
【００３２】
以上のように構成された実施の形態１に係る携帯電話について、その動作を説明する。
【００３３】
検出手段５は、ある特定の状態を検出すると、制御手段６へ検出信号線９で検出状態を伝達する。制御手段６は検出信号線９で伝達された検出状態を受信すると、信号線８によりユーザデータ記憶手段４内に記憶されているデータを信号線１０を通して保持手段７に転送する。制御手段６はバックアップすべきユーザデータ記憶手段４内に記憶されているデータを全て転送するまで信号線１０を通して保持手段７に転送する。
【００３４】
このように、本発明の実施の形態１によれば、携帯電話１内のデータが壊れる可能性のある状態になった場合においても、検出手段５がその状態を検出して、制御手段６がバックアップすべきデータを保持手段７に転送するので、自動的に検出した時の携帯電話の最新のデータを保持手段７にバックアップすることができる。
【００３５】
実施の形態２．
図２に、本発明の実施の形態２に係る携帯電話のブロック図を示す。
【００３６】
本発明の実施の形態２は、図１に示した本発明の実施の形態１の制御手段６を電源１１の制御機能を備えた制御手段６ａに置き換え、制御手段６ａと保持手段７とを信号線１０ａにより接続し、電源１１と電力線１２の間にスイッチ１３を設け、スイッチ１３と制御手段６ａとを制御線１４により接続した構成にしている。尚、その他の構成は、図１に示す実施の形態１のものと同じであるので、図１と同一符合を付してその説明は省略する。
【００３７】
以上のように構成された実施の形態２に係る携帯電話について、その動作を説明する。
【００３８】
検出手段５はある特定の状態を検出すると、電源１１の制御機能を備えた制御手段６ａへ検出信号線９で検出状態を伝達する。電源１１の制御機能を備えた制御手段６ａは検出信号線９を介して検出手段５より伝達された検出状態を受信すると、信号線８によりユーザデータ記憶手段４内のデータを信号線１０ａを通して保持手段７に転送する。
【００３９】
制御手段６ａは、バックアップすべきユーザデータ記憶手段４内のデータを全て転送するまで信号線１０を通して保持手段７に転送する。バックアップすべきユーザデータ記憶手段４内のデータを全て転送すると、電源１１の制御機能を備えた制御手段６ａは制御線１４を通してスイッチ１３を切断する。以上より、電源１１から本体部２、バックアップ部３に供給されていた電源が切断される。
【００４０】
このように、本発明の実施の形態２によれば、バックアップ終了後に携帯電話１の電源１１からの供給を停止することができるので、携帯電話の内部回路のショートによる故障を防ぐことができる。
【００４１】
実施の形態３．
図３に、本発明の実施の形態３に係る携帯電話のブロック図を示す。
【００４２】
本発明の実施の形態３は、図１に示した本発明の実施の形態１の検出手段５を、検出手段５ａ、検出手段５ｂと２つ持つ構成で、それぞれの検出信号線９ａ、９ｂを介してＯＲ回路１５と接続され、ＯＲ回路１５の出力はＯＲ回路出力９ｃを通じて制御手段６に接続されている。ここで、検出手段５ａ、検出手段５ｂはそれぞれ異なった状態を検出するものとする。図３では検出手段５が２つの場合を示しているが、３つ以上でも同様に構成できることは言うまでもない。尚、その他の構成は、図１に示す実施の形態１のものと同じであるので、図１と同一符合を付してその説明は省略する。
【００４３】
以上のように構成した実施の形態３に係る携帯電話について、その動作を説明する。
【００４４】
検出手段５ａ，５ｂは、それぞれ異なった状態を検出するもので、例えば、検出手段５ａに加速度センサ、検出手段５ｂに水濡れセンサといった具合である。検出手段５ａがある状態を検出すると検出信号線９ａ、ＯＲ回路１５、およびＯＲ回路出力９ｃを介して制御手段６へ伝達される。
【００４５】
また、検出手段５ｂがある状態を検出すると検出信号線９ｂ、ＯＲ回路１５、およびＯＲ回路出力９ｃを介して制御手段６へ伝達される。
【００４６】
制御手段６は、それぞれ検出手段５ａ、５ｂから検出信号線９ａ，９ｂ、ＯＲ回路１５、ＯＲ回路出力９ｃを介して伝達された検出状態を受信すると、信号線８によりユーザデータ記憶手段４内のデータを信号線１０を通して保持手段７に転送する。
【００４７】
制御手段６はバックアップすべきユーザデータ記憶手段４内のデータを全て転送するまで信号線１０を通して保持手段７に転送する。つまり、制御手段６は、検出信号線９ａ、検出信号線９ｂは、ＯＲ回路１５で接続されているので、検出手段５ａ、検出手段５ｂのどちらか一方でも特定状態を検出すれば、バックアップが開始できる構成になっている。
【００４８】
このように、本発明の実施の形態３によれば、携帯電話１内のデータが複数の壊れる可能性のある状態になった場合、複数の検出手段５ａ，５ｂがそれぞれその複数の異なった状態を検出するので、このような状態が発生しても対応することができ、最新の状態をバックアップすることができる。例えば、検出手段５ａに加速度センサ、検出手段５ｂに水濡れセンサを用いることで、落下あるいは水没の両方に対してバックアップすることが可能になる。
【００４９】
実施の形態４．
図４に、本発明の実施の形態４に係る携帯電話のブロック図を示す。
【００５０】
本発明の実施の形態４は、図２に示した本発明の実施の形態２の信号線１４とスイッチ１３の間にスイッチ１７を設け、新たに設けた電源制御選択手段１６とスイッチ１７を信号線１８で接続した構成にしている。尚、その他の構成は、図２に示す実施の形態２のものと同じであるので、図２と同一符合を付してその説明は省略する。
【００５１】
以上のように構成された実施の形態４に係る携帯電話について、その動作を説明する。
【００５２】
ユーザは予め検出手段５が状態を検出した場合、データバックアップ後に電源をオフにするか否かの電源制御設定を電源制御選択手段１６に設定する。設定された電源制御設定は、信号線１８を通してスイッチ１７に反映される。
【００５３】
ここで、ユーザが電源制御設定でバックアップ後に電源をオフしない場合設定をした場合、電源制御選択手段１６はスイッチ１７を切断し、電源１１の制御機能を備えた制御手段６ａから信号線１４を通じてスイッチ１３を切断できないようにする。従って、データのバックアップ後、電源１１はオフにならない。
【００５４】
一方、ユーザが電源制御設定で電源制御選択手段１６にバックアップ後に電源をオフする設定をした場合、電源制御選択手段１６はスイッチ１７を接続することで、前記本発明の実施の形態２と同様の動作して、データのバックアップ後に電源１１がオフされる。
【００５５】
このように、本発明の実施の形態４によれば、ユーザの意思で、データが破壊されるような状態を検出手段５により検出した場合に電源１１をオフにするか否かを決定することができ、データを自動的にバックアップする場合でも、ユーザの意に即した電源制御が可能になる。
【００５６】
実施の形態５．
図５に、本発明の実施の形態５に係る携帯電話のブロック図を示す。
【００５７】
本発明の実施の形態５は、図１に示した本発明の実施の形態１の構成に、ユーザから入力されたどの属性のデータをバックアップするかが示された制御データを保存するデータ属性記憶手段１９と、選択手段２２を信号線２０を介し接続し、選択手段２２とユーザデータ記憶手段４を信号線２１で接続している。また、選択手段２２と制御手段は信号線８ａを介して接続した構成になっている。尚、その他の構成は、図１に示す実施の形態１のものと同じであるので、図１と同一符合を付してその説明は省略する。
【００５８】
図６に、実施の形態５の携帯電話１のユーザデータ記憶手段４に記憶されたデータの構成例を示す。この場合、メールアドレス、電話帳、送信メール、受信メール、画像メール、動画データといったデータは、各属性毎にユーザデータ記憶手段４のデータアドレスで区分けされている。
【００５９】
以上のように構成した実施の形態５に係る携帯電話について、その動作を説明する。
【００６０】
データ属性記憶手段１９内の制御データは、ユーザによりバックアップしたい属性が予め入力されているものとする。この場合、前記制御データはバックアップしたい属性のアドレス情報である。
【００６１】
検出手段５は、ある特定の状態を検出すると、制御手段６へ検出信号線９を介して伝達する。制御手段６は、検出信号線９で伝達された検出状態を受信すると、選択手段２２からデータ信号線８ａ，１０を通じて保持手段７へのデータ転送が開始されると、選択手段２２はデータ属性記憶手段１９に示された制御情報に基づき、ユーザデータ記憶手段４内のデータを選択し、信号線８ａへ前記選択したデータをのせる。
【００６２】
従って、ユーザが属性記憶手段１９に予め設定したデータ属性のデータのみが選択手段２２により選択されて、保持手段７にてバックアップされることになる。
【００６３】
このように、本発明の実施の形態５によれば、ユーザが自由にバックアップするデータの属性を選択することができ、ユーザが大事だと思う情報のみを保護する、といったユーザの意思に合ったバックアップが可能である。
【００６４】
実施の形態６．
図７に、本発明の実施の形態６のバックアップ機能を有する携帯電話を示す。
【００６５】
本発明の実施の形態６は、図１に示した本発明の実施の形態１の構成にユーザからの入力により制御手段６にバックアップ開始信号を送信する手動バックアップ手段２３と、ＯＲ回路２４とを信号線９ｄを介して接続し、検出手段５からの検出信号線９ｅをＯＲ回路２４の入力端に接続し、ＯＲ回路出力９ｆを制御手段１０に接続した構成にしている。
【００６６】
以上のように構成した実施の形態６に係る携帯電話について、その動作を説明する。
【００６７】
検出手段５が特定の状態を検出した場合の動作については、実施の形態１の場合と同様である。
【００６８】
一方、検出手段５が特定の状態を検出していない場合、手動バックアップ手段２３からユーザの入力により信号線９ｄを介してＯＲ回路出力９ｆの入力端にバックアップ開始信号が出力され、ＯＲ回路２４の出力であるＯＲ回路出力９ｆを通して制御手段６にバックアップ開始信号が送信される。
【００６９】
このため、検出手段５で特定の状態を検出した場合の動作と同様に、ユーザが手動で手動バックアップ手段２３から制御手段６にバックアップ開始信号を出力させることにより、ユーザデータ記憶手段４内のデータを保持手段７へ転送することが可能となる。
【００７０】
このように、本発明の実施の形態６によれば、検出手段５が特定の状態を検出できないような状態においても、ユーザ入力により手動バックアップ手段２３によってバックアップが可能なので、不測の事態が起きそうな場合、不測の事態が起きる前に、ユーザの意思によりデータを保護することが可能になる。
【００７１】
実施の形態７．
本発明の実施の形態７に係る携帯電話について説明する。
【００７２】
本発明の実施の形態７は、図１に示した本発明の実施の形態１の保持手段７を取り外し可能にしたものである。
【００７３】
このように、本発明の実施の形態７によれば、携帯電話１本体が故障した場合でも、バックアップされた保持手段７を取り外して、他の装置、例えば、他の携帯電話やパソコンに保持手段７の内容を読み取らせることができるので、容易にデータ復旧が可能である。
【００７４】
実施の形態８．
本発明の実施の形態８に係る携帯電話について説明する。
【００７５】
本発明の実施の形態８は、図１に示した本発明の実施の形態１の保持手段７を取り外し可能なメモリーカードにしたものである。なお、メモリーカードは、現在市販されているSＤメモリーカード、コンパクトフラッシュ（登録商標）、メモリースティック、スマートメディア、またはそれに準ずるものでもよい。
【００７６】
このように、本発明の実施の形態８によれば、保持手段７にメモリーカードを用いることにより、バックアップデータを復旧する際に、現在の一般的に販売されているメモリーカードスロット付きの装置で容易に読み取ることが可能になり、特別な機器を必要することなしに、バックアップデータを復旧することができる。
【００７７】
実施の形態９．
本発明実施の形態９に係る携帯電話について説明する。
【００７８】
本発明の実施の形態９は、図１に示した本発明の実施の形態１の保持手段７を加入者権情報カード(ＳＩＭカードやＵＩＭカードを含む)にしたものである。
【００７９】
このように、本発明の実施の形態９によれば、バックアップ用の保持手段を、一般的な携帯電話に必要な加入者権情報カード(ＳＩＭカードやＵＩＭカードを含む)に含むことができ、バックアップ用保持手段７に特別な物理領域を必要としないので、携帯電話１の小型化、軽量化に貢献できる。さらに、新しい携帯電話に買い換えた際も、加入者権情報カードの移動のみで、容易にバックアップデータを復旧することが可能になる。
【００８０】
実施の形態１０．
本発明実施の形態１０に係る携帯電話について説明する。
【００８１】
本発明の実施の形態１０は、図１に示した実施の形態１、あるいは図２に示す実施の形態２の検出手段５に加速度センサを用いたものである。
【００８２】
このように、本発明の実施の形態１０によれば、検出手段５である加速度センサにより携帯電話１の落下を検出して、落下して地面に落ちる前に携帯電話１内のデータをバックアップすることが可能となり、落下の衝撃で携帯電話１が壊れたとしても、最新のデータをバックアップすることができる。
【００８３】
実施の形態１１．
本発明の実施の形態１１に係る携帯電話について説明する。
【００８４】
本発明の実施の形態１１は、図１に示した実施の形態１あるいは実施の形態２における検出手段５に水濡れセンサを用いたものである。
【００８５】
このように、本発明の実施の形態１１によれば、携帯電話１の水没や水濡れを検出することができ、携帯電話１内部に完全に水が浸入する前に、最新のデータを保護することができる。さらに実施の形態２の検出手段５に水濡れセンサを用いることで、バックアップ後に電源１１からの電源供給をオフにできるので、水濡れによる携帯電話１内部の回路ショートによる破壊を防ぐことが可能である。
【００８６】
なお、実施の形態１から実施の形態１１まで、携帯電話を対象に述べたが、ＰＤＡや電子手帳等のデータ処理を行う小型情報処理端末にも適用できることは言うまでもない。
【産業上の利用可能性】
【００８７】
本発明にかかる、バックアップ機能を有する携帯電話は、携帯電話内のデータが壊れるような状態の際も、前記検出手段でその状態を検出することで、ユーザの操作が無く自動的に、さらに最新の状態を前記保持手段にバックアップすることが可能になるので、バックアップ機能が必要な携帯電話（ＰＤＡや電子手帳等の小型情報処理端末も含む）に対し有用である。
【図面の簡単な説明】
【００８８】
【図１】本発明の実施の形態１に係る携帯電話のブロック図
【図２】本発明の実施の形態２に係る携帯電話のブロック図
【図３】本発明の実施の形態３に係る携帯電話のブロック図
【図４】本発明の実施の形態４に係る携帯電話のブロック図
【図５】本発明の実施の形態５に係る携帯電話のブロック図
【図６】実施の形態５に係る携帯電話のデータ属性記憶手段に記憶されたデータ構成図
【図７】本発明の実施の形態６に係る携帯電話のブロック図
【符号の説明】
【００８９】
１  携帯電話
２  本体部
３  バックアップ部
４  ユーザデータ記憶手段
５，５ａ，５ｂ  検出手段
６，６ａ  制御手段
７  保持手段
１１  電源
１６  電源制御選択手段
１９  データ属性記憶手段
２２  選択手段
２３  手動バックアップ手段
【図１】
0004634745.tif 000002
【図２】
0004634745.tif 000003
【図３】
0004634745.tif 000004
【図４】
0004634745.tif 000005
【図５】
0004634745.tif 000006
【図６】
0004634745.tif 000007
【図７】
0004634745.tif 000008